(57)【要約】      （修正有）【課題】全体の構造設計が安定しており、支持強度も高く、連結安定性も高いレジャー用ロッキングチェアを提供する。【解決手段】レジャー用ロッキングチェアは、支持フレーム１と、支持フレーム１の左側、右側にそれぞれ連結され、且つ上方に延びる２組の支持ポール２と、２組の支持ポール２の間に引っ掛けられる座部３と、を含む。各組の支持ポール２は、２本のユニット支持ポール２ａを含み、各組の支持ポール２の天部には、連結板４が設けられており、各連結板４にはフック５が連結されている。座部３は、柔軟性のある材料で作られて揺動可能であり、座部３の左右両端は、それぞれフック５に引っ掛けられる。【選択図】図１
0003235176.tif 000002
【実用新案登録請求の範囲】
【請求項１】
支持フレーム（１）と、前記支持フレーム（１）の左側、右側にそれぞれ連結され、且つ上方に延びる２組の支持ポール（２）と、２組の前記支持ポール（２）の間に引っ掛けられる座部（３）と、を含むレジャー用ロッキングチェアであって、
各組の前記支持ポール（２）は、２本のユニット支持ポール（２ａ）を含み、各組の前記支持ポール（２）の天部には、連結板（４）が設けられ、各前記連結板（４）には、フック（５）が連結されており、
前記座部（３）は柔軟性のある材料で作られて揺動可能であり、前記座部（３）の左右両端はそれぞれ前記フック（５）に引っ掛けられる、ことを特徴とする、
レジャー用ロッキングチェア。
【請求項２】
各前記ユニット支持ポール（２ａ）の中空の天部には、取り付け台（６）が設けられており、前記取り付け台（６）の天部には、ダボ（６１）が突出しており、各前記連結板（４）の両端には、前記ダボ（６１）を挿入する取り付け孔（４１）が形成されている、ことを特徴とする、
請求項１に記載のレジャー用ロッキングチェア。
【請求項３】
前記フック（５）はＳ字形であり、前記連結板（４）には、前記フック（５）を引っ掛ける連結孔（４２）が形成されている、ことを特徴とする、
請求項１に記載のレジャー用ロッキングチェア。
【請求項４】
前記連結板（４）は、その周縁に、他方の前記連結板（４）の方向に突出する突出部（４２０）を有し、前記連結孔（４２）は、前記突出部（４２０）に形成されている、ことを特徴とする、
請求項３に記載のレジャー用ロッキングチェア。
【請求項５】
各組の前記支持ポール（２）の前記天部には、逆Ｕ字形の保護キャップ（９）がさらに被されており、前記保護キャップ（９）の底部の両端は、２本の前記ユニット支持ポール（２ａ）の前記天部の外側に係合されている、ことを特徴とする、
請求項２〜４のいずれか１項に記載のレジャー用ロッキングチェア。
【請求項６】
前記保護キャップ（９）の横断面は、中心角が１８０°より大きい弧形である、ことを特徴とする、
請求項５に記載のレジャー用ロッキングチェア。
【請求項７】
前記支持フレーム（１）は、互いに対向して設けられる２つの連結具（１１）と、２つの前記連結具（１１）の間に取り外し可能に連結される連結ポール（１２）と、各前記連結具（１１）の下面に取り外し可能に連結される２つの脚（１３）と、を含み、
各組の前記支持ポール（２）の２本の前記ユニット支持ポール（２ａ）は、１つの前記連結具（１１）の上面に取り外し可能に連結される、ことを特徴とする、
請求項１〜４のいずれか１項に記載のレジャー用ロッキングチェア。
【請求項８】
前記連結具（１１）には、前記連結ポール（１２）、前記脚（１３）、前記支持ポール（２）にそれぞれ対応する取り付け溝が形成されており、前記連結ポール（１２）、前記脚（１３）、前記支持ポール（２）の少なくとも前記取り付け溝に挿入される部分には、中空の中空部が軸方向に形成され、前記中空部の側壁には、ストッパー孔（７）が形成されており、前記中空部内には、前記ストッパー孔（７）から飛び出すことのできるアーチ部（８１）を有する弾性部材（８）が弾性的に係合している、ことを特徴とする、
請求項７に記載のレジャー用ロッキングチェア。
【請求項９】
前記ストッパー孔（７）は、前記中空部の軸方向に延びて形成されており、
前記弾性部材（８）はＵ字形又はＶ字形であり、前記弾性部材（８）の片側は、外側に膨らんで前記アーチ部（８１）を形成する、ことを特徴とする、
請求項８に記載のレジャー用ロッキングチェア。
【請求項１０】
各組の前記支持ポール（２）の２本の前記ユニット支持ポール（２ａ）は、下から上にかけて次第に外側に傾斜し、且つ次第に互いに近接している、ことを特徴とする、
請求項１から４のいずれか１項に記載のレジャー用ロッキングチェア。
【考案の詳細な説明】
【技術分野】
【０００１】
本考案は、レジャー用ロッキングチェアに関する。
【背景技術】
【０００２】
ロッキングチェアは、レジャー製品として、人々が休息するために、庭や部屋、屋外等の場所に置かれる。中国実用新案公告第２０９３６００９９号（中国実用新案登録第２０１８２１９２０３６８.Ｘ号）の「ハンギングチェア」に開示されているハンギングチェアの構造は、支持フレームが嵩張り、占領する空間が大きく、その上、分解して収納することもできない。そのため、一般的に、広い空間の決まった場所のみで使用され、容易に外出時に携帯して使用することもできず、その使用範囲が制限される。
【０００３】
現在使用されているロッキングチェアの多くは、複数のシングルポールを連結した支持フレームを支持台としているため、その強度には限界がある。また、座部と支持台との連結は、一本の湾曲したポールに、フックリングとフックを組み合わせただけである。そのため、強度に限界があるだけでなく、ロッキングチェアが揺れている最中に、フックが外れる可能性があり、使用時の安定性が悪く、潜在的な安全上の問題がある。
【考案の概要】
【考案が解決しようとする課題】
【０００４】
本考案が解決しようとする第１の技術的課題は、上述の既存技術に対し、支持強度が高く、連結安定性が高いレジャー用ロッキングチェアを提供することである。
【０００５】
本考案が解決しようとする第２の技術的課題は、上述の既存技術に対し、分解、組立がしやすく、収納時の嵩が小さいレジャー用ロッキングチェアを提供することである。
【課題を解決するための手段】
【０００６】
本考案が上述の第１の技術的課題を解決するために採用した技術的手段は、支持フレームと、支持フレームの両端に１組ずつ連結され、且つ上方に延びる２組の支持ポールと、２組の支持ポールの間に引っ掛けられる座部と、を含むレジャー用ロッキングチェアであって、以下を特徴とする。各組の支持ポールは、２本のユニット支持ポールを含み、各組の支持ポールの天部には、連結板が設けられ、連結板には、フックが連結される。
【０００７】
また、座部は柔軟性のある材料で作られて揺動可能であり、座部の左右両端は、それぞれフックに引っ掛けられる。
【０００８】
連結板を２本の支持ポールの天部に簡単に連結するため、各ユニット支持ポールの天部は、中空であり、ユニット支持ポールの天部には、取り付け台が設けられている。取り付け台の天部には、ダボが突出しており、連結板の両端には、ダボを挿入する取り付け孔が形成されている。
【０００９】
フックを引っ掛けやすくするため、フックはＳ字形であり、連結板には、フックを引っ掛ける連結孔が形成されている。
【００１０】
フックを連結板に取り付けやすくするため、連結板は、その周縁に、他方の連結板の方向に突出する突出部を有し、連結孔は、突出部に形成されている。
【００１１】
支持ポールの天部をよりなめらかにして、使用者の不慮の怪我を防止するため、各組の支持ポールの天部には、逆Ｕ字形の保護キャップがさらに被されており、保護キャップの底部の両端は、２本のユニット支持ポールの天部の外側に係合されている。
【００１２】
保護キャップを取り付けやすいように、保護キャップの横断面は、中心角が１８０°より大きい弧形である。
【００１３】
本考案が上述の第２の技術的課題を解決するために採用した技術的手段は、支持フレームは、互いに対向して設けられる２つの連結具と、２つの連結具の間に取り外し可能に連結される連結ポールと、各連結具の下面に取り外し可能に連結される２つの脚と、を含み、各組の支持ポールの２本のユニット支持ポールは、１つの連結具の上面に取り外し可能に連結される。
【００１４】
構造が簡単で、且つ分解、組立がしやすいように、連結具には、連結ポール、脚、支持ポールにそれぞれ対応する取り付け溝が形成されており、連結ポール、脚、支持ポールの少なくとも取り付け溝に挿入される部分には、中空の中空部が軸方向に形成されている。中空部の側壁には、ストッパー孔が形成されており、中空部内には、弾性部材が弾性的に係合している。弾性部材は、ストッパー孔から飛び出すことのできるアーチ部を有する。
【００１５】
好ましくは、ストッパー孔は、中空部の軸方向に延びて形成されており、弾性部材はＵ字形又はＶ字型であり、弾性部材の片側は、外側に膨らみ湾曲して、アーチ部を形成する。
【００１６】
支持強度と支持安定性をさらに高めるため、各組の支持ポールの２本のユニット支持ポールは、下から上にかけて次第に外側に傾斜し、且つ次第に互いに近接している。
【考案の効果】
【００１７】
既存の技術と比較した本考案の特長は、以下である。本考案のレジャー用ロッキングチェアは、各組の支持ポール２に、２本のユニット支持ポールを使用し、連結板を利用して、２本のユニット支持ポールどうしを連結する。このようにして、座部に対する支持強度と安定性を大幅に向上させている。また、これに加えて、座部を引っ掛けるためのフックをユニット支持ポールに連結させるのではなく、連結板に連結させている。これにより、フックを引っ掛けるために、ユニット支持ポールの端部に穴をあける必要がない。また、ユニット支持ポールよりも連結板の方が、フックをより安定的に支持し、支持ポールの座部に対する支持強度をさらに良好にするため、体重が１５０キログラムの人も使うことができる。
【００１８】
また、本考案のレジャー用ロッキングチェアは、分解可能な構造を採用しているため、整理収納がしやすく、収納した後の嵩が小さいので、携帯しやすい。
【図面の簡単な説明】
【００１９】
【図１】本考案の実施例のレジャー用ロッキングチェアの斜視図である。
【図２】図１の座部を取り付けていない状態の斜視図である。
【図３】図２の部分拡大図である。
【図４】図３の部分を分解した状態の図である。
【図５】本考案の実施例の弾性部材の斜視図である。
【考案を実施するための形態】
【００２０】
以下、図面と実施例とを結びつけて、本考案についてさらに詳しく説明する。
【００２１】
図１〜図５に示すのは、本考案の好ましい実施例である。図１に示すように、本実施例のレジャー用ロッキングチェアは、支持フレーム１と、支持フレーム１の左側、右側にそれぞれ連結され且つ上方に延びる２組の支持ポール２と、２組の支持ポール２の間に引っ掛けられる座部３と、を含む。
【００２２】
図１〜図３に示すように、支持フレーム１は、互いに対向して設けられた２つの連結具１１と、２つの連結具１１の間に取り外し可能に連結される連結ポール１２と、各連結具１１の下面に取り外し可能に連結される２本の脚１３と、を含む。
【００２３】
連結具１１は、一体構造とすることができ、連結具１１には、連結ポール１２、脚１３に対応する連結位置に、それぞれ取り付け溝が形成されている。
【００２４】
２つの連結具１１どうしの連結強度を保証するため、本実施例では、２本の連結ポール１２が設けられており、連結ポール１２に対応する連結具１１の取り付け溝は、他方の連結具１１に対向する側面に形成されている。このように、２本の連結ポール１２が平行に２つの連結具１１の間に連結されて、支持フレーム１を基本的に支持する。
【００２５】
各連結具１１に連結された２本の脚１３は、それぞれ前方と後方に延びて八の字の形を呈し、さらに支持フレーム１を安定的に支持する。これに対応するように、脚１３の取付位置に対応する連結具１１の取り付け溝は、垂直方向に対して傾斜して形成されている。これにより２本の脚１３がさらに確実に取り付け溝に取り付けられる。
【００２６】
本実施例では、各組の支持ポール２は、２本のユニット支持ポール２ａを含み、各組の支持ポール２の２本のユニット支持ポール２ａは、下から上にかけて次第に外側に傾斜し、且つ次第に互いに近接している。すなわち、各組の支持ポール２は、自身の位置する側の外側に向かって傾斜しており、このようにして支持ポール２の強度と支持安定性を高めることができる。また、各組の支持ポール２の２本のユニット支持ポール２ａも、対応端の連結具１１の上面に取り外し可能に連結されている。連結具１１の上面には、２本のユニット支持ポール２ａに対応する連結位置に、それぞれ取り付け溝が形成され、支持ポール２の傾斜方向に対応するように、取り付け溝も傾斜して形成されている。本実施例において、各組の支持ポール２の２本のユニット支持ポール２ａの下端は、それぞれ連結具１１の前縁、後縁の位置に連結されており、２本のユニット支持ポール２ａは、上方に延びるにつれ次第に互いに近接している。つまり、２組の支持ポール２は、外側に傾斜して、左右方向において逆八の字であるので、支持がさらに安定する。
【００２７】
連結ポール１２、脚１３、支持ポール２を連結具１１の取り付け溝に取り付けやすくするため、且つ、取り付け溝と信頼性高く連結するために、本実施例では、図５に示すように、連結ポール１２、脚１３、ユニット支持ポール２ａの少なくとも取り付け溝に挿入する部分に、中空の中空部が軸方向に形成されている。また、中空部の側壁にはストッパー孔７が形成されている。具体的には、ストッパー孔７は、中空部の軸方向に延びて形成されている。
【００２８】
中空部内には、弾性部材８が弾性的に係合している。弾性部材８は、ストッパー孔７から飛び出すことができるアーチ部８１を有する。弾性部材８の弾性可能な範囲を確保するために、弾性部材８は、Ｕ字形又はＶ字形であり、弾性部材８の片側は、外側に膨らみ湾曲して、アーチ部８１を形成している。アーチ部８１は弧形又はＵ字形である。
【００２９】
具体的には、ストッパー孔７は細長い棒状の孔である。弾性部材８を取り付ける時は、Ｕ字形の弾性部材８の円弧端をユニット支持ポール２ａ等の中空部に向け、弾性部材８のアーチ部８１とストッパー孔７の位置が互いに対応するようにして、弾性部材８を中空部の軸方向に押して中空部内に入れることができる。弾性部材８は押し入れられる時、Ｕ字形の弾性部材８の両側が内側に収縮する。弾性部材８が所定位置まで押し入れられた時、弾性部材８のアーチ部８１はストッパー孔７から飛び出す。このようにして、弾性部材８の中空部内への取り付けが完了する。レジャー用ロッキングチェアの出荷時には、既に弾性部材８が連結ポール１２、脚１３、ユニット支持ポール２ａの中空部内に取り付けられているので、使用者は再び弾性部材８の取り付け作業をする必要はない。
【００３０】
支持フレーム１の組立と、各組の支持ポール２と支持フレーム１との連結を行う時、使用者は、連結ポール１２、脚１３、支持ポール２を、対応する連結具１１の取り付け溝に挿入する。すると、弾性部材８のアーチ部８１が、ストッパー孔７から飛び出し、取り付け溝の内壁に当接する。弾性部材８の弾性による付勢作用と、使用状態の連結ポール１２、脚１３の取り付け溝に対する内圧の付勢力とが相まって、連結ポール１２、脚１３、ユニット支持ポール２ａが連結具１１の取り付け溝にしっかりと連結される。
【００３１】
連結具１１の取り付け溝から連結ポール１２、脚１３、支持ポール２を取り外す必要がある時は、取り付け溝から対応するポールを外側に引っ張ると、弾性部材８のアーチ部８１が連結具１１の取り付け溝の内壁に押されることによって、ポールをスムーズに連結具１１の取り付け溝から外すことができる。
【００３２】
連結ポール１２、脚１３、支持ポール２ａを取り外した後、さらに収納しやすくするために、連結ポール１２、脚１３、ユニット支持ポール２ａの具体的な長さに基づいて、多段のポール構造を選択的に採用することができる。これらのポールは、多段間が接合される中空の管体であり、さらには弾性のワイヤによって、連結ポール１２に対応するポールどうし、脚１３に対応するポールどうし、又は支持ポール２に対応するポールどうしを連結することができる。
【００３３】
図１〜図４に示すように、座部３を引っ掛けやすくするため、各組の支持ポール２の２本のユニット支持ポール２ａの天部の間には、連結板４が連結されており、連結板４には、フック５が連結されている。座部３は、柔軟性のある材料で作られた揺動可能なものであって、例えば、布の座部３を採用してもよい。具体的には、座部３はＵ字形であり、中央は、座面シートである。座面シートの左右両側には、それぞれ複数の引き紐が繋がれていて、複数の引き紐は、末端でねじられて結び目を形成している。左側の結び目と、右側の結び目は、それぞれ対応するＳ字形のフック５に引っ掛けられている。座部３の両端は、複数の吊り紐につながれており、さらには、吊り紐により、座部３は、両端のフック５の間に引っ掛けられている。吊り紐と座部３は、柔軟性があるものなので、フック５に対して前後に揺動することができ、使用者のロッキングチェアに対する揺動のニーズを満たすことができる。
【００３４】
本実施例では、各ユニット支持ポール２ａの天部は中空であり、ユニット支持ポール２ａの天部には、取り付け台６が設けられている。取り付け台６は、溶接によりユニット支持ポール２ａと連結されてもよいし、既存の各種の分解可能な構造を用いてユニット支持ポール２ａと連結されてもよい。取り付け台６の天部には、ダボ６１が突出しており、連結板４の両端には、ダボ６１と適合する取り付け孔４１が形成され、取り付け孔４１にダボ６１が挿入される。連結板４をさらにしっかりと連結するため、ダボ６１をスタッドボルトにし、さらに、ナットによって、連結板４をユニット支持ポール２ａに連結してもよい。
【００３５】
また、連結板４には、フック５を引っ掛ける連結孔４２が形成されている。支持ポール２に妨げられないようにするため、且つフック５をさらに取り付けやすくするため、連結板４の周縁には、他方の連結板４の方向に突出する突出部４２４が設けられており、連結孔４２は、突出部４２４に形成されている。本実施例のフック５は、Ｓ字形のフック５を使用しており、フック５の一端が連結孔４２に引っ掛けられる。本実施例のフック５の外径は、連結孔４２の内径と適合し、フック５が連結孔４２に引っ掛けられた後、ほとんど動かないようになっている。もちろん、Ｓ字形のフック５と連結孔４２との間に一定の隙間を設け、座部３の揺動幅を広げてもよい。また、フック５の外周面を多角形の構造にして、それに対応するように、連結孔４２の形状も多角形の構造にしてもよい。このようにして、フック５が連結孔４２にしっかりと連結される。ロッキングチェアは、柔軟性のある構造なので、揺れている時にある程度変形し、フック５に対して前後に揺動することができる。
【００３６】
また、各組の支持ポール２の２本のユニット支持ポール２ａの天部には、さらに保護キャップ９が被せられている。保護キャップ９は、逆Ｕ字形であり、その底部の両端は、２本のユニット支持ポール２ａの天部の外側に係合されている。保護キャップ９の保護により、使用者が不意に支持ポール２の天部に触れて怪我をするのを防ぐことができる。保護キャップ９の横断面は、中心角が１８０°よりも大きい弧形である。
【００３７】
このレジャー用ロッキングチェアでは、各組の支持ポール２は、２本のユニット支持ポール２ａを含み、連結板４を利用して、各組の支持ポール２の２本のユニット支持ポール２ａどうしを連結している。このようにして、座部３に対する支持強度と安定性を大幅に向上させている。また、これに加え、座部３を引っ掛けるためのフック５を、ユニット支持ポール２ａに連結させるのではなく、連結板４に連結させている。これにより、フック５を引っ掛けるために、ユニット支持ポール２ａの端部に穴をあける必要がない。また、ユニット支持ポール２ａと比較して、連結板４の方が、フック５をより安定的に支持し、支持ポール２の座部３に対する支持強度をさらに良好にする。
【００３８】
本実施例のレジャー用ロッキングチェアは、収納又は携帯が必要な場合に、各部品を全て分解することができ、片づけた後は嵩が小さくなるので、占領する空間が小さく、収納又は携帯に便利である。また、分解した部品も分散して置いておきやすいので、外出に持って行く必要がある場合に、運搬ツールに対する空間利用率を向上させることができる。
【００３９】
本考案の明細書及び請求の範囲において、本考案の各例示的な構造部分及び要素を説明するために、「前」、「後」、「上」、「下」、「左」、「右」、「側」、「天」、「底」等の方向を示す用語を使用したが、これらの用語は、単に説明を容易にするためのみに使用されたのであって、図面に示された例示的な方位に基づいて決定されたものである。本考案に開示される実施例は、異なる方向に基づいて設けることもできるため、これらの方向を示す用語は、単なる説明であって、限定と見なされるべきではない。例えば、「上」、「下」は、必ずしも重力に反する方向又は重力に一致する方向に限定されるものではない。
【先行技術文献】
【特許文献】
【００４０】
【特許文献１】中国実用新案公告第２０９３６００９９号
【図１】
0003235176.tif 000003
【図２】
0003235176.tif 000004
【図３】
0003235176.tif 000005
【図４】
0003235176.tif 000006
【図５】
0003235176.tif 000007